(57)【要約】      （修正有）【課題】サイドパネルの締め付けによりはみ出した贅肉を確実に抑え込んでアウター側に影響させない、補整効果に優れたブラジャーを提供する。【解決手段】カップ１２、サイドパネル１６、カバー布１９及び肩紐２２とで構成され、カバー布１９は、サイドパネル１６の全体をカバーし、カバー布１９とサイドパネル１６の下縁１９ｄ、１６ｄはその全長に亙って接続され、カバー布１９の上縁はサイドパネル１６の上縁１６ｆより上に山形に延びるように設けられ、カバー布１９の伸縮方向は、カバー布１９の一方の上縁部分１９ｆ２から脇側縁に向かうＸ方向の伸びの方が、他方の上縁部分１９ｆ１からカバー布の下縁１９ｄに向かうＹ方向の伸びに対して大である。【選択図】図１
0003174649.tif 000002
【実用新案登録請求の範囲】
【請求項１】
左右のカップと、
両カップの脇側縁に取り付けられ、脇側縁の該取付部分から延び、先端に接続部材が設けられたサイドパネルと、
サイドパネルの上から両カップの脇側縁に取り付けられ、サイドパネルの全体を覆うカバー布と、
前記カバー布とカップに接続された肩紐とで構成され、
カバー布は、両カップの脇側縁への取着部分がサイドパネルの脇側縁への取付部分の全長をカバーし、
カバー布の延出端がサイドパネルの先端部分に取り付けられ、
カップの脇側縁の下端からカバー布の延出端の下端に至る下縁がサイドパネルの下縁の全長に亙って接続され、
脇側縁の上端からカバー布の延出端の上端に至る上縁がサイドパネルの上縁より上に山形に延びるように設けられ、
前記カバー布の伸縮方向は、肩紐のカバー布との取付部とカバー布の延出端の上端との間の上縁部分から脇側縁に向かう方向の伸びの方が、脇側縁の上端と前記取付部との間の上縁部分からカバー布下縁に向かう方向の伸びに対して大であるようにしたことを特徴とするブラジャー。
【請求項２】
肩紐のカバー布との取付部とカバー布の延出端の上端との間の上縁部分をカバー布の布地だけで形成したことを特徴とする請求項１に記載のブラジャー。
【考案の詳細な説明】
【技術分野】
【０００１】
本考案は、背中から脇を通りバストに至る部分の贅肉が抑えられてスムーズなボディラインに仕上げることができる補整機能を備えたブラジャーに関する。
【背景技術】
【０００２】
ブラジャーは、バストを収納して美しい形に補整する機能を主とするものであるが、近年では、バストの美しさを強調するため、内側に向けて吊り上げ且つ前方へと膨出させてボリュームアップして見えるように補整する、いわゆるバストアップ機能のようなものが要求されている。処が、若い人は問題にならないが、ある程度の年齢を重ねてくると次第に体の代謝が悪くなり、体の各所に贅肉がつき始める。そのような状態でブラジャーをつけると、サイドパネルが脇から背中にかけての贅肉に食い込み、特にサイドパネルの上縁から贅肉が段状にはみ出し、これがアウターに現れる。そこで、このような贅肉対策がなされていないブラジャーに対して、以下のようなブラジャーが提案されている（特許文献１）。
【０００３】
特許文献１（図４）に記載のブラジャー(B)は、背から脇にかけての贅肉をバスト側に寄せる補整機能に優れつつ、着用者の動作に対する肩紐(3)による引張りに対する柔軟性が高く、カップ(1)全体として乳房へのフィット性に優れたものであるとし、カップ(1)の脇側縁部分(1a)と、背中側のソデ又はフックアイと呼ばれる接続部材(4)との間を、サイドパネル(8)で構成し、カップ(1)のアンダー側縁近傍部分(1b)と、接続部材(4)及び肩紐(3)の背中側の接続部材(4)寄りの部分(3a)との間を、カバー布(6)で構成し、前記サイドパネル(8)の上にカバー布(6)が部分的に重なり合うように配置している。そして、サイドパネル(8)の下縁(8a)でアンダーラインを形成し、カバー布(6)の下縁(6a)が前記アンダーラインより少し上部にずれるように構成し、サイドパネル(8)の下縁(8a)とカバー布(6)の下縁(6a)を縫着せず、フリーとすることによってサイドパネル(8)とカバー布(6)の自由な動きを確保している。
【先行技術文献】
【特許文献】
【０００４】
【特許文献１】特許４４１０５３９号公報
【考案の開示】
【考案が解決しようとする課題】
【０００５】
しかしながら、サイドパネル(8)とカバー布(6)の下縁(8a)(6a)を縫着せずフリーとした場合、このブラジャー(B)を着用すると、肩紐(3)を肩の上に掛けた時に、或る締め付け力を持って体に巻きつけられたサイドパネル(8)から独立して肩紐(3)の背面側端部に縫着されているカバー布(6)だけがサイドパネル(8)から離れて引き上げられることになる。このことは体に固定されたサイドパネル(8)に対してカバー布(6)の自由な動きを確保することができるものの、カバー布(6)だけが上方にそのまま移動する、即ち、カバー布(6)に上下方向において張力が発生しないことを意味する。換言すれば、サイドパネル(8)とカバー布(6)の下縁(8a)(6a)が縫着されていると、ブラジャー(B)を着用した時に、肩紐(3)と共にカバー布(6)が引き上げられて伸び、上下方向においてカバー布(6)に張力が発生することになるが、引用文献１の場合には、前述のようにこの上下方向において張力が発生しない。
【０００６】
一方、サイドパネル(8)は前述のように脇から背中にかけての贅肉に食い込み、特にサイドパネル(8)の上縁(8b)から贅肉を段状にはみ出させる。上方に引き上げられたカバー布(6)は前記はみ出た贅肉を上から覆うことが出来るが、前述のように張力が発生していないために段状に膨れた贅肉を上から押さえる働きは持たない。換言すれば、カバー布(6)は前記贅肉を上から覆うことが出来るものの段状或いはかまぼこ状に膨れた贅肉によって膨れてしまう。
【０００７】
また、カバー布(6)のカップ縫着部分(6c)の上端(6d)はサイドパネル(8)のカップ縫着部分(8c)の上端(8d)より下にあるため、カバー布(6)の上縁(6b)とサイドパネル(8)の上縁(8b)とは腋の直下で交差することになり、この交差部分(P)とサイドパネル(8)のカップ縫着部分(8c)の上端(8d)の直上部分の領域(q)がカバー布(6)でカバーされず、この部分の贅肉のはみ出しを抑えることができない。この領域(q)は背仲から脇にかけてバスト側に寄せてきた贅肉が集中し、その一部はカップ(1)内に押し込まれるものの残部はこの領域(q)に残り、これが盛り上がってアウターに響いて好ましくない。なお、この領域(q)は後述する本発明の図３の(Q)で示す部分に相当する。
【０００８】
そして、引用文献１では領域(q)がカバー布(6)でカバーされていないことに加えてカバー布(6)に伸び方向の工夫がないために、一旦カップ(1)内に収納された贅肉がカップ(1)からはみ出してくる虞もある。
【０００９】
本考案はこのような従来のブラジャーの問題点を解消するためになされたもので、サイドパネルの締め付けによりその上縁からはみ出し、且つ、背中から脇にかけてバスト側に寄せられた前記贅肉を確実に抑え込んでアウター側に影響させない、補整効果に優れたブラジャーを提供するにある。
【課題を解決するための手段】
【００１０】
請求項１記載に係るブラジャー(A)は、
左右のカップ(12)と、
両カップ(12)の脇側縁(12a)に取り付けられ、脇側縁(12a)の該取付部分(16a)から延び、先端に接続部材(24)が設けられたサイドパネル(16)と、
サイドパネル(16)の上から両カップ(12)の脇側縁(12a)に取り付けられ、サイドパネル(16)の全体を覆うカバー布(19)と、
前記カバー布(19)とカップ(12)に接続された肩紐(22)とで構成され、
カバー布(19)は、両カップ(12)の脇側縁(12a)への取着部分(19a)がサイドパネル(16)の脇側縁(12a)への取付部分(16a)の全長をカバーし、
カバー布(19)の延出端(19b)がサイドパネル(16)の先端部分(16b)に取り付けられ、
カップ(12)の脇側縁(12a)の下端(12b)からカバー布(19)の延出端(19b)の下端(19c)に至る下縁(19d)がサイドパネル(16)の下縁(16d)の全長に亙って接続され、
脇側縁(12a)の上端(12c)からカバー布(19)の延出端(19b)の上端(19g)に至る上縁(19f)がサイドパネル(16)の上縁(16f)より上に山形に延びるように設けられ、
前記カバー布(19)の伸縮方向は、肩紐(22)のカバー布(19)との取付部(19t)とカバー布(19)の延出端(19b)の上端(19g)との間の上縁部分(19f2)から脇側縁(12a)に向かう方向(この方向をＸ方向とする)の伸びの方が、脇側縁(12a)の上端(12c)と前記取付部(19t)との間の上縁部分(19f1)からカバー布(19)の下縁(19d)に向かう方向(この方向をＹ方向とする)の伸びに対して大であるようにしたことを特徴とする。
【００１１】
請求項２記載に係るブラジャー(A)は、肩紐(22)のカバー布(19)との取付部(19t)とカバー布(19)の延出端(19b)の上端(19g)との間の上縁部分(19f2)をカバー布(19)の布地だけで形成したことを特徴とする。
【考案の効果】
【００１２】
本考案におけるブラジャー(A)においては、サイドパネル(16)の締め付けでサイドパネル(16)の上縁(16f)からはみ出し、且つ、バスト方向に寄せられた贅肉全体を、Ｘ方向に伸びてバスト側に強く収縮しようとするカバー布(19)によって上から抑制しつつバスト側に引っ張ってこれを維持し、且つ、サイドパネル(16)の下縁(16d)にその下縁(19d)の全長が縫着されたことと伸びにくいＹ方向の協働によってカバー布(19)のＹ方向における強度を高めて贅肉の膨出を抑え、これによって当該部分のラインを美しく見せることが出来る。
【００１３】
なお、上縁部分(19f2)をカバー布(19)の布地だけで形成しておれば、（換言すれば、上縁部分(19f2)に伸縮性テープのようなものを縫着しておれば、この伸縮性テープがアウターに現れることになる。）伸縮性の高い上縁部分(19f2)が当該部分の贅肉に段を生じさせることなくぴったりと接することになり、カバー布(19)が存在してもアウターに影響しないという利点がある。
【図面の簡単な説明】
【００１４】
【図１】本考案に係るブラジャーの正面図である。
【図２】本考案に係るブラジャーの部分斜視図である。
【図３】本考案に係るブラジャーの着用状態の斜視図である。
【図４】従来のブラジャーの正面図である。
【考案を実施するための形態】
【００１５】
以下、本考案に係るブラジャー(A)の例を以下図面に基づいて説明する。本実施例のブラジャー(A)は、大略、左右一対のカップ(12)、カップ(12)同士を連結する連結部(14)、カップ(12)の脇側縁(12a)から延びるサイドパネル(16)、サイドパネル(16)を上から覆うカバー布(19)、カップ(12)の裏面の下側端縁に沿って縫着されたサポートテープ(18)、カップ(12)の裏面から浮かせた状態でカップ(12)の下端(12b)側に取り付けられたサポート生地(20)、及びカップ(12)とカバー布(19)に接続された肩紐(22)などで構成されている。
【００１６】
カップ(12)は、内部に薄いスポンジシートが配設され、表裏に布が張られた立体縫製のもので、裏側のサポート生地(20)は上カップ部(20a)と、脇カップ部(20b)と、下カップ部(20c)とによって立体縫製されており、一対のカップ(12)同士が連結部(14)介して左右に連結されている。
【００１７】
サポートテープ(18)は、非伸縮性の繊維素材によって形成された柔軟なテープ状部材であり、カップ(12)の下端縁の沿って略円弧状に縫着されている。ここで、このサポートテープ(18)を構成する繊維素材としては、別珍，コットンネル，ベルベット，ビロードなどの起毛素材を用いるのが特に好ましい。このような起毛素材を用いることによって、バストに装着したカップがずれるのを防止できると共に、起毛の毛細管現象によってサポートテープが密着した部分の汗を当該サポートテープで吸収することができ、ブラジャーの着け心地を向上させることができるからである。
【００１８】
サポート生地(20)は、伸縮性の布帛を略半円状に成形した部材であり、カップ(12)の裏面側に浮かせた状態で配置されると共に(図２参照)、サポートテープ(18)の端部同士を架設するようにサポートテープ(18)に沿って縫着されている。このサポート生地(20)に用いられる伸縮性の布帛としては、トリコットやジャージーなどのメリヤス編みの布帛が好適であり、また、その素材としては吸汗性に優れた綿(コットン)を含むものが好適である。サポート生地(20)としてこのような布帛を用いることによってブラジャー(A)の着け心地をより一層向上させることができるからである。
【００１９】
また、サポート生地(20)の大きさは、最も伸張した際の面積が、サポートテープ(18)で囲まれたカップ(12)の裏面下端部の表面積と略等しくなるように設計されている。こうすることによってサポート生地(20)が最大限伸張した場合であっても、カップ(12)が型崩れを起こす心配はない。
【００２０】
なお、本実施例では、サポート生地(20)として、綿を含む薄手のトリコット生地を略円形に断裁すると共にこれを二つ折りにした物を使用しており、このサポート生地(20)をサポートテープ(18)と共に、カップ(12)の下端縁の沿って略円弧状に縫着している。
【００２１】
サイドパネル(16)は、カップ(12)の脇側縁(12a)に縫着その他の手段により取着され、該脇側縁(12a)から延び、そして上下左右において伸縮性のない基部(16k)、この基部(16k)に接続され、上下左右（即ち、長手及び短手方向）において伸縮性に優れの繊維素材によって形成されたメッシュ帯状のサイドパネル本体(16L)、前記基部(16k)とサイドパネル本体(16L)との接続部分において縦方向（即ち、短手方向）に縫着され、伸びのない縦帯部材(16m)、サイドパネル本体(16L)の先端にそれぞれ縫着され、一方に係止環が、多方にフックが複数段にわたって縫着された、所謂「ソデ」又は「フックアイ」と呼ばれる接続部材(24)とで構成されている。
【００２２】
カバー布(19)は、一方向に伸縮性に富み、これに対してその直角方向の伸びが小さいレース状或いはネット状又はネット状部分にレース状部分が設けられている布で、その一端がカップ(12)の脇側縁(12a)の全長に縫着その他適宜の手段によって取着され、カップ(12)におけるサイドパネル(16)の脇側縁(12a)への取付部分(16a)の全長を、カバー布(19)の脇側縁(12a)への取着部分(19a)が縫着その他の適宜な手段で上から覆っている。そしてカバー布(19)はカップ(12)の該脇側縁(12a)から延び、その延出端(19b)がサイドパネル(16)の先端部分(16b)の短辺全長に取り付けられている。そして、脇側縁(12a)の下端(12b)から延出端(19b)の下端(19c)に至る下縁(19d)がサイドパネル(16)の下縁(16d)に全長に亙って縫着のような取り付け手段で一体化されている。
【００２３】
また、脇側縁(12a)の上端(12c)から延出端(19b)の上端(19g)に至るカバー布(19)の上縁(19f)がサイドパネル(16)の上縁(16f)より上に山形（三角形）に延びるように設けられてサイドパネル(16)全体を覆うように形成されている。そして、カバー布(19)の頂点である取付部(19t)とカップ(12)の上端(12f)とに肩紐(22)の端部がそれぞれ縫着されている。
【００２４】
前記カバー布(19)の伸縮方向は、肩紐(22)のカバー布(19)との取付部(19t)とカバー布(19)の延出端(19b)の上端(19g)との間の上縁部分(19f2)「この部分は上縁(19f)の一方の縁である。」から脇側縁(12a)に向かう方向(この方向をＸ方向とする)の伸びの方が、脇側縁(12a)の上端(12c)と前記取付部(19t)との間の他方の上縁部分(19f1)「この部分は上縁(19f)の他方の縁である。」からカバー布(19)の下縁(19d)に向かう方向(この方向をＹ方向とする)の伸びに対して大であるように縫着されている。なお、カバー布(19)のＸ方向の伸びは、サイドパネル(16)の長手方向の伸びを損なわないようにサイドパネル(16)の長手方向に沿う方向にも伸びる。しかしながら、Ｙ方向の伸びは殆んど伸びないが、サイドパネル(16)の上縁(16f)はフリーなので、サイドパネル(16)はカバー布(19)のＹ方向の非伸縮性には影響されず伸縮する。
【００２５】
カバー布(19)の他方の上縁部分(19f1)はカバー布(19)のＸ方向の伸縮性を損なわないためにテープの縫着はない（換言すれば、上縁部分(19f1)はカバー布(19)の生地だけで構成される。）が、カバー布(19)の一方の上縁部分(19f2)にはカバー布(19)のＹ方向の非伸縮性を補強するために伸びの小さいテープ(23)が縫着されている。そしてカバー布(19)自体の伸縮方向は前述のようにＸ方向がＹ方向に比べて大であるように取り付けられている。
【００２６】
しかして、本考案におけるブラジャー(A)を着用し、接続部材(24)を連結すると、サイドパネル(16)のサイドパネル本体(16L)が長手方向に伸び、背から脇を通り、背からバストの脇の部分にかけての部分を締め付ける。これにより、該部分の贅肉がサイドパネル(16)の上縁(16f)から主としてはみ出してサイドパネル(16)の上縁(16f)を境にかまぼこ状の段を形成する。勿論、サイドパネル(16)の下縁(16d)からもはみ出すが、贅肉量が異なるため、上縁(16f)からのはみ出し量が下縁(16d)からのそれよりも格段に多い。そして、ブラジャー(A)の着用後、このはみ出した贅肉を手で寄せてバスト側に移動させ、その一部をカップ(12)内に入れ込む。特に、図３の(Q)で示す領域であるサイドパネル(16)の基部(16k)の上方に、寄せられた贅肉が溜まり、前述のように寄せた贅肉の一部をカップ(12)内に入れ込んだとしてもその残部が領域(Q)においてかまぼこ状の段を作りやすい。
【００２７】
そこで、前述のようにカバー布(19)のＸ方向の高い伸びと高弾力性、Ｙ方向の低伸び率及びカバー布(19)とサイドパネル(16)の下縁(16d)(19d)の縫着一体化、更にはカバー布(19)の他方の上縁部分(19f1)がカバー布(19)の生地だけで構成されていることによって、この入りきらなかった贅肉がバストに向かって滑らかな曲線を描けるようにすると共にカップ(12)内に入れ込まれた贅肉が元に戻らないようにする。
【００２８】
この点を詳述する。本ブラジャー(A)では、前述のようにサイドパネル(16)の下縁(16d)とカバー布(19)の下縁(19d)とが全長に亙って縫着されているので、下縁(16d)(19d)においてサイドパネル(16)とカバー布(19)とは一体化している。一方、カバー布(19)の上縁(19f)はサイドパネル(16)の上縁(16f)に対してフリーであり、且つ、カバー布(19)の取付部(19t)に肩紐(22)の一端が縫着されているので、下縁(19d)を基準に肩に架けられた肩紐(22)の動きに合わせてカバー布(19)の上部がＸ方向にかなり自由に移動するようになる。換言すれば、Ｘ方向の肩の動きを左程拘束しない。逆に、Ｙ方向はカバー布(19)の伸縮性が小さく且つ前述のように下縁(16d)(19d)同士が縫着一体化されていることと相俟って、Ｙ方向の肩の動きはＸ方向の動きに比べて若干規制されることは否めない。
【００２９】
しかしながら、サイドパネル(16)で抑えられ、はみ出た贅肉は、前述のようにバスト側に寄せられ、その一部がカップ(12)内に収納され、残部は領域(Q)で示す部分に溜まる。そしてカップ(12)内に収納された贅肉や、この領域(Q)で示す部分に寄せられた贅肉は、なにも力を加えないと元の位置に戻ろうとする。これら領域(Q)で示す部分に寄せられた贅肉は前述のようにカバー布(19)でそのまま上からカバーされることになるが、このカバー布(19)はＹ方向が伸びにくく且つ下縁(16d)(19d)同士が一体化されているため、着用時に肩紐(22)によってＹ方向に引っ張られるとカバー布(19)には強い張力が発生する。一方、Ｘ方向には伸びるので、着用時にＸ方向に伸びたカバー布(19)がバストに装着されて動かないカップ(12)の方向に収縮しようとし、これによってバスト側に寄せられて領域(Q)に溜まっていた贅肉はカップ(12)方向に常時引っ張られることになり元に戻りにくい。そして、この寄せられた贅肉を一方向に弾力性を持つカバー布(19)によって上から押さえつけて抑制するため、その膨出を抑えることができ、カバー布(19)の滑らかなカーブによってアウターに響くことなく当該部分のラインを美しく見せることが出来る。
【００３０】
そしてこの時、カバー布(19)の上縁部分(19f1)は生地だけで構成されているので、この領域(Q)の贅肉にぴったりと接触することになり、自然なラインを演出することになる。
【符号の説明】
【００３１】
(A)・・・ブラジャー  (12)・・・カップ  (12a)・・・脇側縁  (12b)・・・下端  (12c)・・・上端  (16)・・・サイドパネル  (16a)・・・取付部分  (16b)・・・先端部分  (16d)・・・下縁  (16f)・・・上縁  (19)・・・カバー布  (19a)・・・取着部分  (19b)・・・延出端  (19c)・・・下端  (19d)・・・下縁  (19f)・・・上縁  (19f1)(19f2)・・・上縁部分  (19g)・・・上端  (19t)・・・取付部  (22)・・・肩紐  (24)・・・接続部材
【図１】
0003174649.tif 000003
【図２】
0003174649.tif 000004
【図３】
0003174649.tif 000005
【図４】
0003174649.tif 000006